(57)【要約】【解決手段】  意図しないねじり取り外しに抗しての、ねじとナットのような、ねじ要素をロックするためのロック要素であって、このロック要素が、環状孔１４を有する、少なくとも２つの積み重なっているリング状のロックワッシャ１、２から成り、その際、これら積み重なっている面がくさび状面７を有し、且つ、外側面にそれぞれに有歯部５が設けられている様式の上記ロック要素において、少なくとも１つの環状孔１４が、有歯部を備える内側エッジ部において、丸み部６、または切欠き部２４を有する。
2007504409.tif 000002
【特許請求の範囲】
【請求項１】
意図しないねじり取り外しに抗しての、ねじとナットのような、ねじ要素をロックするためのロック要素であって、
このロック要素が、環状孔を有する、少なくとも２つの積み重なっているリング状のロックワッシャから成り、その際、これら積み重なっている面がくさび状面を有し、且つ、外側面にそれぞれに有歯部が設けられている様式の上記ロック要素において、
少なくとも１つの環状孔（１４）が、有歯部を備える内側エッジ部において、丸み部（６）、または切欠き部（２４）を有することを特徴とするロック要素。
【請求項２】
くさび状面（７）の鋸歯状の稜線（８）は、半径方向から逸れた整向状態で指向していることを特徴とする請求項１に記載のロック要素。
【請求項３】
くさび状面（７）の鋸歯状の稜線（８）は、Ｖ字形状を有していることを特徴とする請求項１または２に記載のロック要素。
【請求項４】
くさび状面（７）の鋸歯状の稜線（８）は、Ｕ字形字形状を有していることを特徴とする請求項１または２に記載のロック要素。
【請求項５】
くさび状面（７）の鋸歯状の稜線（８）は、Ｓ字形状を有していることを特徴とする請求項１または２に記載のロック要素。
【請求項６】
有歯部（５）の歯は、非半径方向に指向していることを特徴とする請求項１から５のいずれか一つに記載のロック要素。
【請求項７】
有歯部（５）の歯は、曲率を有していることを特徴とする請求項１から６のいずれか一つに記載のロック要素。
【請求項８】
ロックワッシャ（１、２）は、スリーブ（１６、１７）を用いて互いに結合されていることを特徴とする請求項１から７のいずれか一つに記載のロック要素。
【請求項９】
スリーブ（２１）は、環状孔（１４）の内側に沿って設けられていることを特徴とする請求項１から８のいずれか一つに記載のロック要素。
【請求項１０】
スリーブ（１６）は、ロックワッシャ（１、２）の外側に沿って設けられていることを特徴とする請求項１から９のいずれか一つに記載のロック要素。
【請求項１１】
一方のスリーブは、環状孔（１４）の内側に沿って、および更に別のスリーブがロックワッシャ（１、２）の外側に沿って設けられていることを特徴とする請求項１から１０のいずれか一つに記載のロック要素。
【請求項１２】
スリーブ（１６、２１）が折畳み部を有しており、これら折畳み部が、側方へこのロックワッシャの縁部を覆って、または内へと突出していることを特徴とする請求項１から１１のいずれか一つに記載のロック要素。
【請求項１３】
折畳み部は、リング状に構成されていることを特徴とする請求項１から１２のいずれか一つに記載のロック要素。
【請求項１４】
折畳み部は、垂れ蓋状体（１８）として構成されていることを特徴とする請求項１から１２のいずれか一つに記載のロック要素。
【請求項１５】
折畳み部は、リングセグメント（１７）であることを特徴とする請求項１から１２のいずれか一つに記載のロック要素。
【請求項１６】
スリーブは、細い切れ目を付けられたリングであることを特徴とする請求項１から１２のいずれか一つに記載のロック要素。
【請求項１７】
スリーブ（１６、１７）と折畳み部との間の移行部は、円形部、及び／または面取り部を有していることを特徴とする請求項１から１６のいずれか一つに記載のロック要素。
【請求項１８】
スリーブと折畳み部との間の移行部は、直角に形成されていることを特徴とする請求項１から１５のいずれか一つに記載のロック要素。
【請求項１９】
ロックワッシャは、折畳み部を収容するための溝部（２２、２３）を有していることを特徴とする請求項１から１８のいずれか一つに記載のロック要素。
【発明の詳細な説明】
【技術分野】
【０００１】
本発明は、意図しないねじり取り外しに抗しての、ねじとナットのような、ねじ要素をロックするためのロック要素であって、
このロック要素が、環状孔を有する、少なくとも２つの積み重なっているリング状のロックワッシャから成り、その際、これら積み重なっている面がくさび状面を有し、且つ、外側面にそれぞれに有歯部が設けられている様式の上記ロック要素に関する。
【背景技術】
【０００２】
種々の実施形態のロックワッシャは、久しい以前から公知である。
【０００３】
特に、ドイツ連邦共和国特許第１  １２９  ７７９号明細書（特許文献１）において見て取れるように、多くのこのようなねじロック装置の機能態様は、ばね原理に基づいている。ばね要素は、ねじ要素によって圧潰され、且つ、これに伴って、このばね要素自体の自己制動のために必要な張力を、一定のレベルで保持する。ねじロック装置のこの様式の欠点は、使用される材料が「クリープを生じ」、即ち、長い時間持続する負荷に撓み、且つ従って予負荷応力が弱まることである。更に、歯付きワッシャのような、ねじ頭部裏側摩擦（Unterkopfreibung）を増大するロック要素が公知である。
【０００４】
ねじり取り外しロック装置に対する諸要件に適合する、ロック要素は、ヨーロッパ特許第０  １３１  ５５６号明細書（特許文献２）、米国特許第４，５３８，３１３号明細書（特許文献３）、または、スウェーデン王国特許４２５  ６８４明細書（特許文献４）内において記載されている。このロック要素は、基本的に、２つの同一の積み重なっているリング形状のワッシャから成っており、これらワッシャが、上面上で、鋸の歯状、即ちくさび状の輪郭を有している。これら上面は、ねじ止め状態において共に付勢する。このねじ要素が締付けられた場合、この有歯部は、相手方当接部内へと押し込まれるべきである。このねじ要素を回転した場合、これら両方のワッシャの内の１つのワッシャも回転され、且つ、相互に滑動するくさび状面によって、このねじの伸長という状態になり、且つこれに伴って張力の増大という状態になる。この効果のために、これらくさび状面の傾斜が、辛うじてリングの孔を通って適合する、最も太い規格ねじのねじ山の傾斜よりも大きいことは必須である。このようなロック要素は、くさびロックワッシャ対体と称される。これら公知のロック要素の問題は、これらワッシャの外側面（高い）と内側面（低い）との間の摩擦差が、確実に十分に設けられないことにある。
【０００５】
更に別の欠点は、このようなねじロック装置の度重なる使用の際に生じる。２つのワッシャは、実際上は、スウェーデン王国特許４２５  ６８４明細書（特許文献４）内において見て取れるように、接着部分を用いて、互いに結合されている。これら２つのワッシャは、遅くとも最初の使用の際に解離し、このことは、これらワッシャが緩んでおり、且つこれに伴ってその都度の更なる使用の際に手によって組立てられねばならないということを誘起する。更に、１つの欠点が、このようなねじロック装置の度重なる使用の際に生じ；即ち、高い応力のもとでの解離の際のこれら両方のワッシャ相互の相対的な運動に基づいて、半径方向に形成されたくさびの境界面（縁部）が著しい損耗を被り、このことは、再利用可能性を著しく制限する。何故ならば、この結合をねじって締める際に、これらワッシャを、  −このくさびの上での、最も僅かの厚さ、および最も長い使用可能な「道程区間」に相応する−  最終状態にするために、これらくさびの１つの所定の境界面が必要であるからである。
【０００６】
公知のロック装置の更に別の欠点は、特に、新しいねじ規格（ＤＩＮ  ＥＮ  ２４０１４）の使用でもって、ねじ頭部とねじシャフトとの間の移行部半径のための許容差が比較的に大きくなったことによって与えられる。従来のねじロック装置は、内側エッジ部でもって、もしくは環状孔の面取り部でもって、正にこの移行部半径内へと切込み、このことによって、このねじの強度を著しく損なう切込み部が形成する。この切込みを回避するために、内径がしかしながら極めて大きく構成された場合、これらワッシャは、粗悪に調心される。
【特許文献１】ドイツ連邦共和国特許第１  １２９  ７７９号明細書
【特許文献２】ヨーロッパ特許第０  １３１  ５５６号明細書
【特許文献３】米国特許第４，５３８，３１３号明細書
【特許文献４】スウェーデン王国特許４２５  ６８４明細書
【発明の開示】
【発明が解決しようとする課題】
【０００７】
従って、本発明の課題は、ねじ要素のための、改良されたねじり取り外しロック装置を提供すること、およびその際に、使用の簡単性、並びに信頼性を向上することである。
【課題を解決するための手段】
【０００８】
本発明は、一方では、
少なくとも１つの環状孔が、有歯部を備える内側エッジ部において、丸み部、または切欠き部を有することによって特徴付けられている。
【発明の効果】
【０００９】
更に、くさび状面の鋸歯状の稜線が、１つの実施形態において非半径方向に指向し、及び／または、例えば、Ｕ字形、Ｓ字形、またはＶ字形に形成されている。
【００１０】
本発明は、同様に、有歯部の歯が非半径方向に指向し、及び／または湾曲されていることによっても特徴付けられている。本発明の更に別の特徴は、ロックワッシャがスリーブを用いて結合されている。
【００１１】
このスリーブは、それぞれの実施形態に応じて、環状孔の内側、及び／またはロックワッシャの外側で指向し、且つ、折畳み部を有しており、これら折畳み部が、側方へこのロックワッシャの縁部を覆って、または内へと突出している。上記された折畳み部は、例えば、リング状、リングセグメント状に構成されている。このスリーブが細い切れ目を付けられたリングであることは可能である。
【００１２】
本発明によるねじロック装置は、更に、スリーブと折畳み部との間の移行部が、円形部、面取り部、または直角部として構成されていることによって特徴付けられている。
【００１３】
更に、本発明に従い、１つの実施形態において、それぞれのロックワッシャは、折畳み部を収容するための溝部を有している。本発明に従い、全ての先に言及した、且つ図面に図示された特徴は、単独に、および、２つまたは多数の特徴のそれぞれの組合せにおいて実施され得る。
【００１４】
次に、本発明による装置を図に基づいて詳しく説明する。
【発明を実施するための最良の形態】
【００１５】
図１は、上側のワッシャ１および下側のワッシャ２から成る本発明によるロック要素を示しており、このロック要素を通って、このねじ要素のねじシャフト１３でもって、締付け要素１１内へとねじ込みされている、ねじ要素１０が差し通されている。このロック要素は、従って、ねじ頭部１２と締付け要素１１との間に挟み込まれており、且つ、ねじシャフト１３によって調心されている。このねじ要素１０を固く締める場合、有歯部５が、このねじ頭部１２内へと、並びにこの締付け要素１１内へと刻み込まれ、且つ、形状一体的結合の状態となる。このねじを緩める際に、ここで、この上側のワッシャ１はこのねじ頭部１２と共に帯同し、その際、この下側のワッシャ２が、この締付け要素１１に付着している。この相対的な運動は、くさび状面７の滑動を相互に生じさせ、その際、ワッシャ対体の厚さの増加が、ねじ山ピッチに基づく使用可能な道程よりも大きく、且つ従って、このねじ要素１０の伸びが生じ、このことによって、ねじ結合内における予負荷が直接的に増大する。このことによって、このロック性は、ねじ結合のねじり取り外しに対して極めて有効である。同じ方法で、このロック要素は、同様にナットのところでも配設され得る。
【００１６】
図２は、有歯部５、並びに本発明による丸み部６または切欠き部２４（図５ａ、およびｄを参照）を有する、一方のワッシャの外側面３の上面図を示している。この本発明による丸み部６、または切欠き部は、ねじ頭部１２へのねじシャフト１３の移行部内への、環状孔１４のエッジ部、または面取り部の食い込みを防止し、且つ、これに伴って狭小な案内を、および従って、これらワッシャの良好な調心を可能にする。
【００１７】
図３は、くさび状面７およびこのくさび状面７の鋸歯状の稜線８を有する、一方のワッシャの内側面４の上面図を示している。
【００１８】
図４は、本発明によるワッシャの断面図を示している。簡略化のために、有歯部、並びにくさび状面の図示は放棄されている。外周面９、環状孔１４、内側面４、および外側面３によって区画されている断面が見て取れる。更に図５ａにおいて、部分Ｘの拡大されて図示された丸み部６が見て取れる。この外側面３から環状孔１４の円筒形の面への移行部における、この環状孔１４のエッジ部の丸み部６は、ねじ頭部１２内へのねじシャフト１３に移行部が正確でなく、または過度に大きな半径でもって形成されている場合に、ねじ要素１０が同様にその場合に、損傷されないことの利点をもたらす。図４および５に図示された丸み部６は、この環状孔１４内において、ねじ要素のねじ山内への係合または食い込みを防止する、支持側面２０が残っているように形成されている。しかしながら、同様に比較的に大きな半径も使用され、従って、例えば、この環状孔がこの環状孔の全高さにわたって丸くされている。図５ｂおよび５ｃは、環状孔のエッジ部の他の実施形態を有する部分Ｘを示しており、即ち、図５ｂ内において鋭利なエッジ部としてのエッジ部、および図５ｃにおいて４５°の面取り面を有するエッジ部を示している。図５ｄは、切欠き部２４を有するエッジ部の構成を示しており、この切欠き部が、この丸み部６と同じ働きを誘起可能である。
【００１９】
図６は、ワッシャの外側面３の１つの実施形態の上面図を示しており、その際、有歯部５の歯１５が曲率を有しており、且つ半径方向から逸れている。このことは、幾何学的に、これら歯の延長を生起し、且つこれに伴って、機械的に、比較的に良好な力の分配、および比較的に僅かな損耗を生起する。この半径方向からの逸れは、同様にこれら歯の形状に依存せずに行なわれる。
【００２０】
図７および図８は、ロックワッシャ対体のくさび状面７の上面図を示しており、この図内において、くさび状面の鋸歯状の稜線８がＶ字形に形成されている。図７内において図示された上側のワッシャ１のくさび輪郭は、図８内において図示された下側のワッシャ２の幾何学的なネガである。
【００２１】
図９から１２までは、概略的に（且つ真っ直ぐに伸ばされた状態で）、くさび状面の鋸歯状の稜線８更に別の実施形態を図示している。種々の鋸歯状の稜線形状の目的は、一方では、比較的に良好な圧力分配のためのこれら鋸歯状の稜線の延長にあり、並びに、相互の回転の際に行なわれるワッシャの自己調心にある。
【００２２】
そのロックワッシャ対体の場合にくさび状面の鋸歯状の稜線８が半径方向に指向せず、及び／または、Ｕ字形、Ｓ字形、またはＶ字形に形成されている、ロックワッシャ対体は、２つの同一でない（identen）ワッシャから成っている。これら２つの同一でないワッシャのため、しかしながら同様に同じワッシャを有する全ての他の実施形態のためにも、これら対体の結合体は、比較的に簡単な、もしくは比較的に迅速な組込みの目的のために有利である。この結合体は、しかしながら、これらワッシャの自由で回転的な相対的運動を可能とすべきであり、従って、この結合体が同様に最初の使用の後も存続する。このことは、それらが以下の図内において図示されているように、本発明により、スリーブ１６または２１によって可能とされる。このスリーブの高さは、有利には、組み付けられた状態においてこれらワッシャの厚さよりも小さく、従って、このスリーブが有歯部の刻み込みの際に障害とならない。他方では、これらワッシャ、およびスリーブは、外側からの作用（例えば、スパナでもっての）によってこれらワッシャが相対して回転される場合、弛緩の際にワッシャ対体がより厚くなることがこのスリーブを破壊しないために、十分な遊隙が設けられているように適合されているべきである。
【００２３】
図１３から１６までは、上で既に説明されているように、折畳み形状を有するスリーブの多数の例示的な実施形態を示しており、これら折畳み形状が、本発明において、外側に位置するスリーブの場合に設けられている。このスリーブ１６は、これに伴ってくさびロックワッシャ対体を外側から囲繞している。内側に突出する折畳み部によって、ロックワッシャ対体の両方の平らな側面が覆われ、且つこれに伴って、度重なる使用の際にもこれらワッシャの分離が防止する。この場合、このスリーブは、図１３において、リング状の折畳み部を有して形成されており、図１４において、このスリーブが、４つのリングセグメント１７から成り、図１５において、このスリーブが、３つの垂れ蓋状体１８までに低減され、且つ、図１６において、このスリーブが細い切れ目を付けられたリング１９から成っており、その際、このスリーブがこれに伴って１つの位置において切れ目を入れられている。
【００２４】
図１７から２０は、同様に、スリーブ２１の多数の例示的な実施形態を示しており、
これらスリーブが、しかしながら内側に位置しており、且つこれに伴って、環状孔１４内において装着されている。図１４から１６に類似して、同様にここでも、リングセグメント１７、または垂れ蓋状体１８、または細い切れ目を付けられたリング１９が設けられている。
【００２５】
細い切れ目を付けられたリング１９を有する実施形態は、この細い切れ目を付けられたリングが、相互の圧縮、または互いに離間するような拡開によって、容易にロックワッシャに組み付けされるという利点を提供する。
【００２６】
図２１から２３は、ロックワッシャ対体それぞれ１つの断面図、並びに、横断面においてバリエーションを有する、これに所属して設けられた内側に位置するスリーブの側面図を示している。
【００２７】
図２１内において、スリーブ２１と折畳み部との間の移行部は丸くされており、および、図２２に従っては、面取り形状である。図２３により、スリーブと折畳み部との間の移行部は直角に形成されており、且つ、折畳み部が、溝部２２内へと嵌り込んでいる。全ての、先に言及した有利な特徴は、共に、および相互に依存せずに設けられ得る。図２４から２６による実施形態の場合も、環状孔１４の内側エッジ部に沿って、丸み部６、または切欠き部２４、または面取り部が設けられ得る。くさび状面および有歯部の種々の形成は、スリーブの全てのバリエーションと組み合わせされ得る。
【００２８】
図２４から２６は、図２１から２３に類似した、ロックワッシャ対体のそれぞれ１つの断面図、並びに、横断面においてバリエーションを有する、これに所属して設けられた外側に位置するスリーブの側面図を示している。
【図面の簡単な説明】
【００２９】
【図１】側方眺望における、本発明の例示的な配設の図である。
【図２】ロックワッシャの外側面の上面図である。
【図３】ロックワッシャの内側面の上面図である。
【図４】その際に部分Ｘが、以下の図５ａ、ｂ、ｃ、およびｄ内において図示されているロックワッシャの断面図である。
【図５ａ】部分Ｘの図である。
【図５ｂ】部分Ｘの図である。
【図５ｃ】部分Ｘの図である。
【図５ｄ】部分Ｘの図である。
【図６】湾曲された有歯部を有する、１つの実施形態の上面図である。
【図７】くさび状面のＶ字形の有歯部を有する、ロックワッシャ対体の内側面の図である。
【図８】くさび状面のＶ字形の有歯部を有する、ロックワッシャ対体の内側面の図である。
【図９】くさび状面の有歯部の、半径方向から数学的にプラス方向に逸れた方向の図である。
【図１０】Ｓ字形の有歯部の図である。
【図１１】有歯部の、半径方向から数学的にマイナス方向に逸れた方向の図である。
【図１２】くさび状面のＵ字形の有歯部の図である。
【図１３】本発明において、内側に位置するスリーブの場合に設けられている、折畳み形状の、多数の例示的な実施形態の図である。
【図１４】本発明において、内側に位置するスリーブの場合に設けられている、折畳み形状の、多数の例示的な実施形態の図である。
【図１５】本発明において、内側に位置するスリーブの場合に設けられている、折畳み形状の、多数の例示的な実施形態の図である。
【図１６】本発明において、内側に位置するスリーブの場合に設けられている、折畳み形状の、多数の例示的な実施形態の図である。
【図１７】本発明において、外側に位置するスリーブの場合に設けられている、折畳み形状の、多数の例示的な実施形態の図である。
【図１８】本発明において、外側に位置するスリーブの場合に設けられている、折畳み形状の、多数の例示的な実施形態の図である。
【図１９】本発明において、外側に位置するスリーブの場合に設けられている、折畳み形状の、多数の例示的な実施形態の図である。
【図２０】本発明において、外側に位置するスリーブの場合に設けられている、折畳み形状の、多数の例示的な実施形態の図である。
【図２１】ロックワッシャ対体のそれぞれ１つの断面図、並びに、このロックワッシャ対体に所属する内側に位置するスリーブの側面図である。
【図２２】ロックワッシャ対体のそれぞれ１つの断面図、並びに、このロックワッシャ対体に所属する内側に位置するスリーブの側面図である。
【図２３】ロックワッシャ対体のそれぞれ１つの断面図、並びに、このロックワッシャ対体に所属する内側に位置するスリーブの側面図である。
【図２４】ロックワッシャ対体のそれぞれ１つの断面図、並びに、このロックワッシャ対体に所属する外側に位置するスリーブの側面図である。
【図２５】ロックワッシャ対体のそれぞれ１つの断面図、並びに、このロックワッシャ対体に所属する外側に位置するスリーブの側面図である。
【図２６】ロックワッシャ対体のそれぞれ１つの断面図、並びに、このロックワッシャ対体に所属する外側に位置するスリーブの側面図である。
【図１】
2007504409.tif 000003
【図２】
2007504409.tif 000004
【図３】
2007504409.tif 000005
【図４】
2007504409.tif 000006
【図５】
2007504409.tif 000007
【図６】
2007504409.tif 000008
【図７】
2007504409.tif 000009
【図８】
2007504409.tif 000010
【図９】
2007504409.tif 000011
【図１０】
2007504409.tif 000012
【図１１】
2007504409.tif 000013
【図１２】
2007504409.tif 000014
【図１３】
2007504409.tif 000015
【図１４】
2007504409.tif 000016
【図１５】
2007504409.tif 000017
【図１６】
2007504409.tif 000018
【図１７】
2007504409.tif 000019
【図１８】
2007504409.tif 000020
【図１９】
2007504409.tif 000021
【図２０】
2007504409.tif 000022
【図２１】
2007504409.tif 000023
【図２２】
2007504409.tif 000024
【図２３】
2007504409.tif 000025
【図２４】
2007504409.tif 000026
【図２５】
2007504409.tif 000027
【図２６】
2007504409.tif 000028
【手続補正書】
【提出日】平成18年5月9日(2006.5.9)
【手続補正１】
【補正対象書類名】明細書
【補正対象項目名】全文
【補正方法】変更
【補正の内容】
【発明の詳細な説明】
【技術分野】
【０００１】
本発明は、意図しないねじり取り外しに抗しての、ねじとナットのような、ねじ要素をロックするためのロック要素であって、
このロック要素が、環状孔を有する、少なくとも２つの積み重なっているリング状のロックワッシャから成り、その際、これら積み重なっている面がくさび状面を有し、且つ、外側面にそれぞれに有歯部が設けられている様式の上記ロック要素に関する。
【背景技術】
【０００２】
種々の実施形態のロックワッシャは、久しい以前から公知である。
【０００３】
特に、ドイツ連邦共和国特許第１  １２９  ７７９号明細書（特許文献１）において見て取れるように、多くのこのようなねじロック装置の機能態様は、ばね原理に基づいている。ばね要素は、ねじ要素によって圧潰され、且つ、これに伴って、このばね要素自体の自己制動のために必要な張力を、一定のレベルで保持する。ねじロック装置のこの様式の欠点は、使用される材料が「クリープを生じ」、即ち、長い時間持続する負荷に撓み、且つ従って予負荷応力が弱まることである。更に、歯付きワッシャのような、ねじ頭部裏側摩擦（Unterkopfreibung）を増大するロック要素が公知である。
【０００４】
ねじり取り外しロック装置に対する諸要件に適合する、ロック要素は、ヨーロッパ特許第０  １３１  ５５６号明細書（特許文献２）、米国特許第４，５３８，３１３号明細書（特許文献３）、または、スウェーデン王国特許４２５  ６８４明細書（特許文献４）内において記載されている。このロック要素は、基本的に、２つの同一の積み重なっているリング形状のワッシャから成っており、これらワッシャが、上面上で、鋸の歯状、即ちくさび状の輪郭を有している。これら上面は、ねじ止め状態において共に付勢する。このねじ要素が締付けられた場合、この有歯部は、相手方当接部内へと押し込まれるべきである。このねじ要素を回転した場合、これら両方のワッシャの内の１つのワッシャも回転され、且つ、相互に滑動するくさび状面によって、このねじの伸長という状態になり、且つこれに伴って張力の増大という状態になる。この効果のために、これらくさび状面の傾斜が、辛うじてリングの孔を通って適合する、最も太い規格ねじのねじ山の傾斜よりも大きいことは必須である。このようなロック要素は、くさびロックワッシャ対体と称される。これら公知のロック要素の問題は、これらワッシャの外側面（高い）と内側面（低い）との間の摩擦差が、確実に十分に設けられないことにある。
【０００５】
更に別の欠点は、このようなねじロック装置の度重なる使用の際に生じる。２つのワッシャは、実際上は、スウェーデン王国特許４２５  ６８４明細書（特許文献４）内において見て取れるように、接着部分を用いて、互いに結合されている。これら２つのワッシャは、遅くとも最初の使用の際に解離し、このことは、これらワッシャが緩んでおり、且つこれに伴ってその都度の更なる使用の際に手によって組立てられねばならないということを誘起する。更に、１つの欠点が、このようなねじロック装置の度重なる使用の際に生じ；即ち、高い応力のもとでの解離の際のこれら両方のワッシャ相互の相対的な運動に基づいて、半径方向に形成されたくさびの境界面（縁部）が著しい損耗を被り、このことは、再利用可能性を著しく制限する。何故ならば、この結合をねじって締める際に、これらワッシャを、  −このくさびの上での、最も僅かの厚さ、および最も長い使用可能な「道程区間」に相応する−  最終状態にするために、これらくさびの１つの所定の境界面が必要であるからである。
【０００６】
公知のロック装置の更に別の欠点は、特に、新しいねじ規格（ＤＩＮ  ＥＮ  ２４０１４）の使用でもって、ねじ頭部とねじシャフトとの間の移行部半径のための許容差が比較的に大きくなったことによって与えられる。従来のねじロック装置は、内側エッジ部でもって、もしくは環状孔の面取り部でもって、正にこの移行部半径内へと切込み、このことによって、このねじの強度を著しく損なう切込み部が形成する。この切込みを回避するために、内径がしかしながら極めて大きく構成された場合、これらワッシャは、粗悪に調心される。
【特許文献１】ドイツ連邦共和国特許第１  １２９  ７７９号明細書
【特許文献２】ヨーロッパ特許第０  １３１  ５５６号明細書
【特許文献３】米国特許第４，５３８，３１３号明細書
【特許文献４】スウェーデン王国特許４２５  ６８４明細書
【発明の開示】
【発明が解決しようとする課題】
【０００７】
従って、本発明の課題は、ねじ要素のための、改良されたねじり取り外しロック装置を提供すること、およびその際に、使用の簡単性、並びに信頼性を向上することである。
【課題を解決するための手段】
【０００８】
本発明は、一方では、
少なくとも１つの環状孔が、有歯部を備える内側エッジ部において、丸み部、または切欠き部を有することによって特徴付けられている。
【発明の効果】
【０００９】
更に、くさび状面の鋸歯状の稜線が、１つの実施形態において非半径方向に指向し、及び／または、例えば、Ｕ字形、Ｓ字形、またはＶ字形に形成されている。
【００１０】
本発明は、同様に、有歯部の歯が非半径方向に指向し、及び／または湾曲されていることによっても特徴付けられている。本発明の更に別の特徴は、ロックワッシャがスリーブを用いて結合されている。
【００１１】
このスリーブは、それぞれの実施形態に応じて、環状孔の内側、及び／またはロックワッシャの外側で指向し、且つ、折畳み部を有しており、これら折畳み部が、側方へこのロックワッシャの縁部を覆って、または内へと突出している。上記された折畳み部は、例えば、リング状、リングセグメント状に構成されている。このスリーブが細い切れ目を付けられたリングであることは可能である。
【００１２】
本発明によるねじロック装置は、更に、スリーブと折畳み部との間の移行部が、円形部、面取り部、または直角部として構成されていることによって特徴付けられている。
【００１３】
更に、本発明に従い、１つの実施形態において、それぞれのロックワッシャは、折畳み部を収容するための溝部を有している。本発明に従い、全ての先に言及した、且つ図面に図示された特徴は、単独に、および、２つまたは多数の特徴のそれぞれの組合せにおいて実施され得る。
【００１４】
次に、本発明による装置を図に基づいて詳しく説明する。
【発明を実施するための最良の形態】
【００１５】
図１は、上側のワッシャ１および下側のワッシャ２から成る本発明によるロック要素を示しており、このロック要素を通って、このねじ要素のねじシャフト１３でもって、締付け要素１１内へとねじ込みされている、ねじ要素１０が差し通されている。このロック要素は、従って、ねじ頭部１２と締付け要素１１との間に挟み込まれており、且つ、ねじシャフト１３によって調心されている。このねじ要素１０を固く締める場合、有歯部５が、このねじ頭部１２内へと、並びにこの締付け要素１１内へと刻み込まれ、且つ、形状一体的結合の状態となる。このねじを緩める際に、ここで、この上側のワッシャ１はこのねじ頭部１２と共に帯同し、その際、この下側のワッシャ２が、この締付け要素１１に付着している。この相対的な運動は、くさび状面７の滑動を相互に生じさせ、その際、ワッシャ対体の厚さの増加が、ねじ山ピッチに基づく使用可能な道程よりも大きく、且つ従って、このねじ要素１０の伸びが生じ、このことによって、ねじ結合内における予負荷が直接的に増大する。このことによって、このロック性は、ねじ結合のねじり取り外しに対して極めて有効である。同じ方法で、このロック要素は、同様にナットのところでも配設され得る。
【００１６】
図２は、有歯部５、並びに本発明による丸み部６または切欠き部２４（図４、および５を参照）を有する、一方のワッシャの外側面３の上面図を示している。この本発明による丸み部６、または切欠き部２４は、ねじ頭部１２へのねじシャフト１３の移行部内への、環状孔１４のエッジ部、または面取り部の食い込みを防止し、且つ、これに伴って狭小な案内を、および従って、これらワッシャの良好な調心を可能にする。
【００１７】
図３は、くさび状面７およびこのくさび状面７の鋸歯状の稜線８を有する、一方のワッシャの内側面４の上面図を示している。
【００１８】
図４は、本発明によるワッシャの断面図を示している。簡略化のために、有歯部、並びにくさび状面の図示は放棄されている。外周面９、環状孔１４、内側面４、および外側面３によって区画されている断面が見て取れる。更に図５ａにおいて、部分Ｘの拡大されて図示された丸み部６が見て取れる。この外側面３から環状孔１４の円筒形の面への移行部における、この環状孔１４のエッジ部の丸み部６は、ねじ頭部１２内へのねじシャフト１３に移行部が正確でなく、または過度に大きな半径でもって形成されている場合に、ねじ要素１０が同様にその場合に、損傷されないことの利点をもたらす。図４に図示された丸み部６は、この環状孔１４内において、ねじ要素のねじ山内への係合または食い込みを防止する、支持側面２０が残っているように形成されている。しかしながら、同様に比較的に大きな半径も使用され、従って、例えば、この環状孔がこの環状孔の全高さにわたって丸くされている。環状孔のエッジ部の他の実施形態、即ち、鋭利なエッジ部、または４５°の面取り面としての他の実施形態は、公知の従来技術であり回避されるべきである。図５ｂは、切欠き部２４を有するエッジ部の構成を示しており、この切欠き部が、この丸み部６と同じ働きを誘起可能である。
【００１９】
図６は、ワッシャの外側面３の１つの実施形態の上面図を示しており、その際、有歯部５の歯１５が曲率を有しており、且つ半径方向から逸れている。このことは、幾何学的に、これら歯の延長を生起し、且つこれに伴って、機械的に、比較的に良好な力の分配、および比較的に僅かな損耗を生起する。この半径方向からの逸れは、同様にこれら歯の形状に依存せずに行なわれる。
【００２０】
図７および図８は、ロックワッシャ対体のくさび状面７の上面図を示しており、この図内において、くさび状面の鋸歯状の稜線８がＶ字形に形成されている。図７内において図示された上側のワッシャ１のくさび輪郭は、図８内において図示された下側のワッシャ２の幾何学的なネガである。
【００２１】
図９から１２までは、概略的に（且つ真っ直ぐに伸ばされた状態で）、くさび状面の鋸歯状の稜線８更に別の実施形態を図示している。種々の鋸歯状の稜線形状の目的は、一方では、比較的に良好な圧力分配のためのこれら鋸歯状の稜線の延長にあり、並びに、相互の回転の際に行なわれるワッシャの自己調心にある。
【００２２】
そのロックワッシャ対体の場合にくさび状面の鋸歯状の稜線８が半径方向に指向せず、及び／または、Ｕ字形、Ｓ字形、またはＶ字形に形成されている、ロックワッシャ対体は、２つの同一でない（identen）ワッシャから成っている。これら２つの同一でないワッシャのため、しかしながら同様に同じワッシャを有する全ての他の実施形態のためにも、これら対体の結合体は、比較的に簡単な、もしくは比較的に迅速な組込みの目的のために有利である。この結合体は、しかしながら、これらワッシャの自由で回転的な相対的運動を可能とすべきであり、従って、この結合体が同様に最初の使用の後も存続する。このことは、それらが以下の図内において図示されているように、本発明により、スリーブ１６または２１によって可能とされる。このスリーブの高さは、有利には、組み付けられた状態においてこれらワッシャの厚さよりも小さく、従って、このスリーブが有歯部の刻み込みの際に障害とならない。他方では、これらワッシャ、およびスリーブは、外側からの作用（例えば、スパナでもっての）によってこれらワッシャが相対して回転される場合、弛緩の際にワッシャ対体がより厚くなることがこのスリーブを破壊しないために、十分な遊隙が設けられているように適合されているべきである。
【００２３】
図１３から１６までは、上で既に説明されているように、スリーブおよび折畳み形状の多数の例示的な実施形態を示しており、これら折畳み形状が、本発明において、外側に位置するスリーブの場合に設けられている。このスリーブ１６は、これに伴ってくさびロックワッシャ対体を外側から囲繞している。内側に突出する折畳み部によって、ロックワッシャ対体の両方の平らな側面が覆われ、且つこれに伴って、度重なる使用の際にもこれらワッシャの分離が防止する。この場合、このスリーブは、図１３において、リング状の折畳み部を有して形成されており、図１４において、このスリーブが、４つのリングセグメント１７から成り、図１５において、このスリーブが、３つの垂れ蓋状体１８までに低減され、且つ、図１６において、このスリーブが細い切れ目を付けられたリング１９から成っており、その際、このスリーブがこれに伴って１つの位置において切れ目を入れられている。
【００２４】
図１７から２０は、同様に、スリーブ２１の多数の例示的な実施形態を示しており、
これらスリーブが、しかしながら内側に位置しており、且つこれに伴って、環状孔１４内において装着されている。図１４から１６に類似して、同様にここでも、リングセグメント１７、または垂れ蓋状体１８、または細い切れ目を付けられたリング１９が設けられている。
【００２５】
細い切れ目を付けられたリング１９を有する実施形態は、この細い切れ目を付けられたリングが、相互の圧縮、または互いに離間するような拡開によって、容易にロックワッシャに組み付けされるという利点を提供する。
【００２６】
図２１から２３は、ロックワッシャ対体それぞれ１つの断面図、並びに、横断面においてバリエーションを有する、これに所属して設けられた内側に位置するスリーブの側面図を示している。
【００２７】
図２１内において、スリーブ２１と折畳み部との間の移行部は丸くされており、および、図２２に従っては、面取り形状である。図２３により、スリーブと折畳み部との間の移行部は直角に形成されており、且つ、折畳み部が、溝部２２内へと嵌り込んでいる。全ての、先に言及した有利な特徴は、共に、および相互に依存せずに設けられ得る。図２４から２６による実施形態の場合も、環状孔１４の内側エッジ部に沿って、丸み部６、または切欠き部２４、または面取り部が設けられ得る。くさび状面および有歯部の種々の形成は、スリーブの全てのバリエーションと組み合わせされ得る。
【００２８】
図２４から２６は、図２１から２３に類似した、ロックワッシャ対体のそれぞれ１つの断面図、並びに、横断面においてバリエーションを有する、これに所属して設けられた外側に位置するスリーブの側面図を示している。
【図面の簡単な説明】
【００２９】
【図１】側方眺望における、本発明の例示的な配設の図である。
【図２】ロックワッシャの外側面の上面図である。
【図３】ロックワッシャの内側面の上面図である。
【図４】１つの実施形態における、ロックワッシャの断面図である。
【図５ａ】本発明の他の実施形態の断面図である。
【図５ｂ】本発明の他の実施形態の断面図である。
【図６】湾曲された有歯部を有する、１つの実施形態の上面図である。
【図７】くさび状面のＶ字形の有歯部を有する、ロックワッシャ対体の内側面の図である。
【図８】くさび状面のＶ字形の有歯部を有する、ロックワッシャ対体の内側面の図である。
【図９】くさび状面の有歯部の、半径方向から数学的にプラス方向に逸れた方向の図である。
【図１０】Ｓ字形の有歯部の図である。
【図１１】有歯部の、半径方向から数学的にマイナス方向に逸れた方向の図である。
【図１２】くさび状面のＵ字形の有歯部の図である。
【図１３】本発明において、内側に位置するスリーブの場合に設けられている、折畳み形状の、多数の例示的な実施形態の図である。
【図１４】本発明において、内側に位置するスリーブの場合に設けられている、折畳み形状の、多数の例示的な実施形態の図である。
【図１５】本発明において、内側に位置するスリーブの場合に設けられている、折畳み形状の、多数の例示的な実施形態の図である。
【図１６】本発明において、内側に位置するスリーブの場合に設けられている、折畳み形状の、多数の例示的な実施形態の図である。
【図１７】本発明において、外側に位置するスリーブの場合に設けられている、折畳み形状の、多数の例示的な実施形態の図である。
【図１８】本発明において、外側に位置するスリーブの場合に設けられている、折畳み形状の、多数の例示的な実施形態の図である。
【図１９】本発明において、外側に位置するスリーブの場合に設けられている、折畳み形状の、多数の例示的な実施形態の図である。
【図２０】本発明において、外側に位置するスリーブの場合に設けられている、折畳み形状の、多数の例示的な実施形態の図である。
【図２１】ロックワッシャ対体のそれぞれ１つの断面図、並びに、このロックワッシャ対体に所属する内側に位置するスリーブの側面図である。
【図２２】ロックワッシャ対体のそれぞれ１つの断面図、並びに、このロックワッシャ対体に所属する内側に位置するスリーブの側面図である。
【図２３】ロックワッシャ対体のそれぞれ１つの断面図、並びに、このロックワッシャ対体に所属する内側に位置するスリーブの側面図である。
【図２４】ロックワッシャ対体のそれぞれ１つの断面図、並びに、このロックワッシャ対体に所属する外側に位置するスリーブの側面図である。
【図２５】ロックワッシャ対体のそれぞれ１つの断面図、並びに、このロックワッシャ対体に所属する外側に位置するスリーブの側面図である。
【図２６】ロックワッシャ対体のそれぞれ１つの断面図、並びに、このロックワッシャ対体に所属する外側に位置するスリーブの側面図である。
【手続補正２】
【補正対象書類名】図面
【補正対象項目名】全図
【補正方法】変更
【補正の内容】
【図１】
2007504409.tif 000029
【図２】
2007504409.tif 000030
【図３】
2007504409.tif 000031
【図４】
2007504409.tif 000032
【図５ａ】
2007504409.tif 000033
【図５ｂ】
2007504409.tif 000034
【図６】
2007504409.tif 000035
【図７】
2007504409.tif 000036
【図８】
2007504409.tif 000037
【図９】
2007504409.tif 000038
【図１０】
2007504409.tif 000039
【図１１】
2007504409.tif 000040
【図１２】
2007504409.tif 000041
【図１３】
2007504409.tif 000042
【図１４】
2007504409.tif 000043
【図１５】
2007504409.tif 000044
【図１６】
2007504409.tif 000045
【図１７】
2007504409.tif 000046
【図１８】
2007504409.tif 000047
【図１９】
2007504409.tif 000048
【図２０】
2007504409.tif 000049
【図２１】
2007504409.tif 000050
【図２２】
2007504409.tif 000051
【図２３】
2007504409.tif 000052
【国際調査報告】
2007504409.tif 000053
2007504409.tif 000054
2007504409.tif 000055
2007504409.tif 000056